(57)【要約】【課題】  基地局装置でリアルタイムに変調される下りトランスポートチャネルの信号が正常に変調し送信されているかの確認を迅速に行うことのできる基地局における下り信号送信不可現象の検出方法、検出装置および移動通信システムを実現する。【解決手段】  トランスポートチャネルおよび物理チャネルのうち、各移動体端末にて共通に使用される共通チャネルを設定するための共通チャネル設定パラメータをモニタして共通チャネルをフレーム番号とともに復号し、フレーム番号が等しい各移動体端末に送られる共通チャネルと前記復号した共通チャネルとを比較し、これらが一致しない場合、または各移動体端末に送られる共通チャネルが存在しない場合に警報を出力する。【選択図】  図１
2007049236.tif 000002
【特許請求の範囲】
【請求項１】
無線ネットワーク制御装置と、該無線ネットワーク制御装置からのトランスポートチャネルを物理チャネルに変換する基地局装置と、前記物理チャネル信号を受信する複数の移動体端末とを備えるＷ−ＣＤＭＡ方式による移動通信システムで行われる基地局装置における下り信号送信不可現象の検出方法であって、
前記トランスポートチャネルおよび物理チャネルのうち、各移動体端末にて共通に使用される共通チャネルを設定するための共通チャネル設定パラメータをモニタして共通チャネルをフレーム番号とともに復号し、フレーム番号が等しい各移動体端末に送られる共通チャネルと前記復号した共通チャネルとを比較し、これらが一致しない場合、または各移動体端末に送られる共通チャネルが存在しない場合に警報を出力することを特徴とする基地局装置における下り信号送信不可現象の検出方法。
【請求項２】
無線ネットワーク制御装置と、該無線ネットワーク制御装置からのトランスポートチャネルを物理チャネルに変換する基地局装置と、前記物理チャネル信号を受信する複数の移動体端末とを備えるＷ−ＣＤＭＡ方式による移動通信システムで行われる基地局装置における下り信号送信不可現象の検出装置であって、
前記トランスポートチャネルおよび物理チャネルのうち、各移動体端末にて共通に使用される共通チャネルを設定するための共通チャネル設定パラメータをモニタして共通チャネルをフレーム番号とともに復号し、フレーム番号が等しい各移動体端末に送られる共通チャネルと前記復号した共通チャネルとを比較し、これらが一致しない場合、または各移動体端末に送られる共通チャネルが存在しない場合に警報を出力することを特徴とする基地局装置における下り信号送信不可現象の検出装置。
【請求項３】
請求項２記載の基地局装置における下り信号送信不可現象の検出装置において、
無線ネットワーク制御装置から基地局装置へ送信される共通チャネル設定パラメータのうち、S-CCPCHおよびフレーム番号の復号に必要なパラメータを抽出する設定パラメータ抽出部と、
前記無線ネットワーク制御装置から基地局装置へ送信される共通チャネル設定パラメータによりFACHとPCHを復号し、さらにこれらに含まれるCFN値を抽出するトランスポートチャネル復号部と、
前記設定パラメータ抽出部で抽出されたパラメータを使用してフレーム番号およびS-CCPCHを復号する物理チャネル復号部と、
前記トランスポートチャネル復号部にて復号、抽出されたCFN値、FACH、PCHのDATAと、物理チャネル復号部にて復号されたFN値とS-CCPCHのDATAをCFN値とFN値を基準にして比較し、同じであれば特に何もせず、異なる場合およびトランスポートチャネルに対応した該当物理チャネルが存在しない場合に、警報を出力するデータ比較部から構成される下り信号送信不可現象の検出装置。
【請求項４】
請求項２記載の基地局装置における下り信号送信不可現象の検出装置において、
無線ネットワーク制御装置と基地局装置との間を関連付けるIDと基地局装置と移動体端末との間を関連付けるCODEを抽出する設定パラメータ抽出部と、
前記IDをパラメータとしてCFNとDCHを復号し、ID、CFN、トランスポートチャネルDCH DATAを出力するトランスポートチャネル復号部と、
前記CODEをパラメータとしてFNとDCHを復号し、CODE、FN、物理チャネルDPCH DATAを出力する物理チャネル復号部と、
前記トランスポートチャネル復号部および物理チャネル復号部の各出力を入力し、FNから計算したMOD(FN)とCFNから比較すべきトランスポートチャネル DCH DATAと物理チャネルDPCH DATAを抽出して比較して一致しない場合や対象となる物理DPCH DATAが存在しない場合には警報を出力するデータ比較部から構成される下り信号送信不可現象の検出装置。
【請求項５】
無線ネットワーク制御装置と、該無線ネットワーク制御装置からのトランスポートチャネルを物理チャネルに変換する基地局装置と、前記物理チャネル信号を受信する複数の移動体端末とを備えるＷ−ＣＤＭＡ方式による移動通信システムであって、
前記トランスポートチャネルおよび物理チャネルのうち、各移動体端末にて共通に使用される共通チャネルを設定するための共通チャネル設定パラメータをモニタして共通チャネルをフレーム番号とともに復号し、フレーム番号が等しい各移動体端末に送られる共通チャネルと前記復号した共通チャネルとを比較し、これらが一致しない場合、または各移動体端末に送られる共通チャネルが存在しない場合に警報を出力する基地局装置における下り信号送信不可現象の検出装置を有することを特徴とする移動通信システム。
【請求項６】
請求項５記載の移動通信システムにおいて、
下り信号送信不可現象の検出装置が、
無線ネットワーク制御装置から基地局装置へ送信される共通チャネル設定パラメータのうち、S-CCPCHおよびフレーム番号の復号に必要なパラメータを抽出する設定パラメータ抽出部と、
前記無線ネットワーク制御装置から基地局装置へ送信される共通チャネル設定パラメータによりFACHとPCHを復号し、さらにこれらに含まれるCFN値を抽出するトランスポートチャネル復号部と、
前記設定パラメータ抽出部で抽出されたパラメータを使用してフレーム番号およびS-CCPCHを復号する物理チャネル復号部と、
前記トランスポートチャネル復号部にて復号、抽出されたCFN値、FACH、PCHのDATAと、物理チャネル復号部にて復号されたFN値とS-CCPCHのDATAをCFN値とFN値を基準にして比較し、同じであれば特に何もせず、異なる場合およびトランスポートチャネルに対応した該当物理チャネルが存在しない場合に、警報を出力するデータ比較部から構成される移動通信システム。
【請求項７】
請求項５記載の移動通信システムにおいて、
下り信号送信不可現象の検出装置が、
無線ネットワーク制御装置と基地局装置との間を関連付けるIDと基地局装置と移動体端末との間を関連付けるCODEを抽出する設定パラメータ抽出部と、
前記IDをパラメータとしてCFNとDCHを復号し、ID、CFN、トランスポートチャネルDCH DATAを出力するトランスポートチャネル復号部と、
前記CODEをパラメータとしてFNとDCHを復号し、CODE、FN、物理チャネルDPCH DATAを出力する物理チャネル復号部と、
前記トランスポートチャネル復号部および物理チャネル復号部の各出力を入力し、FNから計算したMOD(FN)とCFNから比較すべきトランスポートチャネル DCH DATAと物理チャネルDPCH DATAを抽出して比較して一致しない場合や対象となる物理DPCH DATAが存在しない場合には警報を出力するデータ比較部から構成される移動通信システム。
【発明の詳細な説明】
【技術分野】
【０００１】
本発明は無線ネットワーク制御装置、基地局装置および移動体端末からなる移動通信システムに関し、特に、基地局装置から移動体端末へ送信される下り信号の送信不可現象の検出方法、検出装置および移動通信システムに関する。
【背景技術】
【０００２】
近年、移動通信システムとして、加入者容量が大きい、非同期アクセスが可能、他のシステムとの相互干渉に強い、秘匿性が高いなどの理由から、特許文献１（特開２００４−１５６９７号公報）に開示されるようなＣＤＭＡ（Code Division Multiple Access）方式、Ｗ−ＣＤＭＡ方式を用いたシステムが普及している。
【０００３】
図３はW-CDMA無線ネットワークの構成を示しており、無線ネットワーク制御装置３０１は基地局装置３０２とATM回線を用いて接続されており、移動体端末３０３は基地局装置３０２とW-CDMA無線アクセス方式で信号の送受信を行っている。
【０００４】
無線ネットワーク制御装置３０１から送信される信号（トランスポートチャネル）を基地局装置３０２において無線信号（物理チャネル）に変調し移動体端末３０３へ送信している。トランスポートチャネルおよび物理チャネルには、各移動体端末で共通に使われる共通チャネルと、特定の移動体端末にユーザデータを送受信するために使われる個別チャネルがある。トランスポートチャネルとしての共通チャネルはBCH、FACH、PCH、RACHがあり、物理チャネルとしての共通チャネルはCPICH、P-CCPCH、S-CCPCH、SCH、AICHがあり、BCHは基地局装置３０２においてP-CCPCHに、FACH、PCH、RACHはS-CCPCHに変調される。CPICHとSCH、AICHは基地局装置３０２の内部で生成される信号である。
【０００５】
基地局装置３０２で変調されるトランスポートチャネルBCH、FACH、PCH、RACHのうち、BCHは初期設定時に無線ネットワーク制御装置３０１から基地局装置３０２へ設定され一定周期で送信される信号であり、RACHは移動体端末３０３から送信させる上り信号である。ここでは、無線ネットワーク制御装置３０１から必要なときに送信され、基地局装置３０２でリアルタイムに変調される下りトランスポートチャネルであるPCH、FACHについて扱う。
【０００６】
基地局装置３０２と移動体端末３０３との間の通信において、移動体端末３０３で物理チャネルS-CCPCHが受信できない現象が見受けられる。この信号は、基地局装置３０２において、トランスポートチャネルであるPCH、FACHを変調した物理チャネルである。この信号が移動体端末３０３で受信できない現象の要因としてさまざまなものが考えられるが、要因を特定するためには、基地局装置３０２で正常に変調し、送信されていることを保証する必要がある。
【特許文献１】特開２００４−１５６９７号公報
【発明の開示】
【発明が解決しようとする課題】
【０００７】
上述したように、無線ネットワーク制御装置と移動体端末間通信において、移動体端末で物理チャネルS-CCPCHが受信できない現象が生じた場合には、要因を特定するために基地局装置で正常に変調し送信されていることを保証する必要がある。
【０００８】
現在、無線ネットワーク制御装置と基地局装置間のトランスポートチャネルをモニタするための測定器であるIubモニタと、基地局装置と移動体端末間の物理チャネルをモニタするための測定器であるAirモニタが存在する。
【０００９】
従来、それらのモニタでログを取得し、DATA解析を実施することにより基地局装置で正常に変調し送信されているかの確認が行われている。しかし、それらの取得ログDATAのファイル容量は大きくMessage数も膨大であるため、ログDATA解析は困難であり、時間がかかる。また、これらの測定器は非同期で動作しているため、トランスポートチャネルに対応する物理チャネルを一致させることについても時間がかかるものとなっている。
【００１０】
本発明は上述したような従来の技術の問題点に鑑みてなされたものであって、基地局装置でリアルタイムに変調される下りトランスポートチャネルの信号が正常に変調し送信されているかの確認を迅速に行うことのできる基地局における下り信号送信不可現象の検出方法、検出装置および移動通信システムを実現することを目的とする。
【課題を解決するための手段】
【００１１】
本発明の基地局装置における下り信号送信不可現象の検出方法は、無線ネットワーク制御装置と、該無線ネットワーク制御装置からのトランスポートチャネルを物理チャネルに変換する基地局装置と、前記物理チャネル信号を受信する複数の移動体端末とを備えるＷ−ＣＤＭＡ方式による移動通信システムで行われる基地局装置における下り信号送信不可現象の検出方法であって、
前記トランスポートチャネルおよび物理チャネルのうち、各移動体端末にて共通に使用される共通チャネルを設定するための共通チャネル設定パラメータをモニタして共通チャネルをフレーム番号とともに復号し、フレーム番号が等しい各移動体端末に送られる共通チャネルと前記復号した共通チャネルとを比較し、これらが一致しない場合、または各移動体端末に送られる共通チャネルが存在しない場合に警報を出力することを特徴とする。
【００１２】
本発明の基地局装置における下り信号送信不可現象の検出装置は、無線ネットワーク制御装置と、該無線ネットワーク制御装置からのトランスポートチャネルを物理チャネルに変換する基地局装置と、前記物理チャネル信号を受信する複数の移動体端末とを備えるＷ−ＣＤＭＡ方式による移動通信システムで行われる基地局装置における下り信号送信不可現象の検出装置であって、
前記トランスポートチャネルおよび物理チャネルのうち、各移動体端末にて共通に使用される共通チャネルを設定するための共通チャネル設定パラメータをモニタして共通チャネルをフレーム番号とともに復号し、フレーム番号が等しい各移動体端末に送られる共通チャネルと前記復号した共通チャネルとを比較し、これらが一致しない場合、または各移動体端末に送られる共通チャネルが存在しない場合に警報を出力することを特徴とする。
【００１３】
この場合、無線ネットワーク制御装置から基地局装置へ送信される共通チャネル設定パラメータのうち、S-CCPCHおよびフレーム番号の復号に必要なパラメータを抽出する設定パラメータ抽出部と、
前記無線ネットワーク制御装置から基地局装置へ送信される共通チャネル設定パラメータによりFACHとPCHを復号し、さらにこれらに含まれるCFN値を抽出するトランスポートチャネル復号部と、
前記設定パラメータ抽出部で抽出されたパラメータを使用してフレーム番号およびS-CCPCHを復号する物理チャネル復号部と、
前記トランスポートチャネル復号部にて復号、抽出されたCFN値、FACH、PCHのDATAと、物理チャネル復号部にて復号されたFN値とS-CCPCHのDATAをCFN値とFN値を基準にして比較し、同じであれば特に何もせず、異なる場合およびトランスポートチャネルに対応した該当物理チャネルが存在しない場合に、警報を出力するデータ比較部から構成されるとしてもよい。
【００１４】
また、無線ネットワーク制御装置と基地局装置との間を関連付けるIDと基地局装置と移動体端末との間を関連付けるCODEを抽出する設定パラメータ抽出部と、
前記IDをパラメータとしてCFNとDCHを復号し、ID、CFN、トランスポートチャネルDCH DATAを出力するトランスポートチャネル復号部と、
前記CODEをパラメータとしてFNとDCHを復号し、CODE、FN、物理チャネルDPCH DATAを出力する物理チャネル復号部と、
前記トランスポートチャネル復号部および物理チャネル復号部の各出力を入力し、FNから計算したMOD(FN)とCFNから比較すべきトランスポートチャネル DCH DATAと物理チャネルDPCH DATAを抽出して比較して一致しない場合や対象となる物理DPCH DATAが存在しない場合には警報を出力するデータ比較部から構成されるとしてもよい。
【００１５】
本発明の移動通信システムは、無線ネットワーク制御装置と、該無線ネットワーク制御装置からのトランスポートチャネルを物理チャネルに変換する基地局装置と、前記物理チャネル信号を受信する複数の移動体端末とを備えるＷ−ＣＤＭＡ方式による移動通信システムであって、
前記トランスポートチャネルおよび物理チャネルのうち、各移動体端末にて共通に使用される共通チャネルを設定するための共通チャネル設定パラメータをモニタして共通チャネルをフレーム番号とともに復号し、フレーム番号が等しい各移動体端末に送られる共通チャネルと前記復号した共通チャネルとを比較し、これらが一致しない場合、または各移動体端末に送られる共通チャネルが存在しない場合に警報を出力する基地局装置における下り信号送信不可現象の検出装置を有することを特徴とする移動通信システム。
【００１６】
この場合、下り信号送信不可現象の検出装置が、
無線ネットワーク制御装置から基地局装置へ送信される共通チャネル設定パラメータのうち、S-CCPCHおよびフレーム番号の復号に必要なパラメータを抽出する設定パラメータ抽出部と、
前記無線ネットワーク制御装置から基地局装置へ送信される共通チャネル設定パラメータによりFACHとPCHを復号し、さらにこれらに含まれるCFN値を抽出するトランスポートチャネル復号部と、
前記設定パラメータ抽出部で抽出されたパラメータを使用してフレーム番号およびS-CCPCHを復号する物理チャネル復号部と、
前記トランスポートチャネル復号部にて復号、抽出されたCFN値、FACH、PCHのDATAと、物理チャネル復号部にて復号されたFN値とS-CCPCHのDATAをCFN値とFN値を基準にして比較し、同じであれば特に何もせず、異なる場合およびトランスポートチャネルに対応した該当物理チャネルが存在しない場合に、警報を出力するデータ比較部から構成されるとしてもよい。
【００１７】
また、下り信号送信不可現象の検出装置が、
無線ネットワーク制御装置と基地局装置との間を関連付けるIDと基地局装置と移動体端末との間を関連付けるCODEを抽出する設定パラメータ抽出部と、
前記IDをパラメータとしてCFNとDCHを復号し、ID、CFN、トランスポートチャネルDCH DATAを出力するトランスポートチャネル復号部と、
前記CODEをパラメータとしてFNとDCHを復号し、CODE、FN、物理チャネルDPCH DATAを出力する物理チャネル復号部と、
前記トランスポートチャネル復号部および物理チャネル復号部の各出力を入力し、FNから計算したMOD(FN)とCFNから比較すべきトランスポートチャネル DCH DATAと物理チャネルDPCH DATAを抽出して比較して一致しない場合や対象となる物理DPCH DATAが存在しない場合には警報を出力するデータ比較部から構成されるとしてもよい。
【００１８】
本発明においては、トランスポートチャネルDATA Frameに設定されたCFN値と実際の物理チャネルを復号したときのFrame Numberを使用することで、比較したいトランスポートチャネルDATAと物理チャネルDATAを容易に検出することができる。また、比較したときに一致しないもしくは欠落している現象を検出した際、簡易情報を載せたERROR信号を通知することで、ERRORの箇所を簡単に特定することができる。さらに、トランスポートチャネルおよび物理チャネルDATAとFN値のみをログ化することで、ログファイルを小さくすることができる。
【発明の効果】
【００１９】
上記のように構成される本発明においては、以下に記載するような効果を奏する。
【００２０】
第１の効果は、基地局装置に送信されるトランスポートチャネルと基地局装置から送信される物理チャネルを復号して比較しているので、基地局で正常に変調できない物理チャネルを検出することができることである。
【００２１】
第2の効果は、無線ネットワーク制御装置と基地局装置間のトランスポートチャネルおよび、基地局装置からの送信される変調波(物理チャネル)をモニタしているのみであるので、実運用に影響を及ぼすことなる実現できることである。
【００２２】
第３の効果は、無線ネットワーク制御装置と基地局装置間のトランスポートチャネルから無線で送信されるCFN値を復号し、その値と実際に基地局装置から送信されている物理チャネルのFrame Numberを復号し比較しているので、誤検出を防ぐことができることである。
【発明を実施するための最良の形態】
【００２３】
次に、本発明の実施例について図面を参照して説明する。
【００２４】
図１は本発明による一実施例の構成を示すブロック図である。
【００２５】
本実施例は無線ネットワーク制御装置１０１、基地局装置１０２、移動体端末１０３および下り送信不可検出装置１０４から構成されている。
【００２６】
基地局装置１０２は、変調部複合部１０２１および送信部受信部１０２２から構成され、下り送信不可検出装置１０４は、設定パラメータ抽出部１０４１、物理チャネル復号部１０４２、トランスポートチャネル復号部１０４３およびデータ比較部１０４４から構成されている。
【００２７】
本実施例の概略動作についていうと、基地局装置１０２において共通チャネルが設定されるときに、無線ネットワーク制御装置１０１から基地局装置１０２に設定パラメータが送信される。下り送信不可検出装置１０４は無線ネットワーク制御装置１０１と基地局装置１０２間の共通CH設定パラメータをモニタし、下り物理チャネルS-CCPCHを復調するのに必要なパラメータを抜粋し保存する。
【００２８】
基地局装置１０２の物理チャネル送受信部からサーキュレータにより下り送信信号を抽出する。保存したパラメータを用いて、下り物理チャネルS-CCPCHを復調する。まず、CPICHとSCH設定パラメータからCPICHとSCHを復号し、Frame Numberを特定する。S-CCPCH設定パラメータからS-CCPCHを復号し、Frame Numberに対応させる。S-CCPCHよりFACHとPCHのデータを復号する。
【００２９】
モニタ装置は無線ネットワーク制御装置と基地局装置間の信号をモニタし、FACHとPCHをConnection Frame Numberとともに復号する。Frame Numberを合わせることで、比較するFACH、PCHとS-CCPCHを関連づける。同じFrame NumberのFACH、PCHとS-CCPCHを比較し、一致しない場合もしくは、S-CCPCHが欠落している場合に、ALMを上げる。
【００３０】
次に、本実施例の構成について説明する。
【００３１】
設定パラメータ抽出部１０４１は無線ネットワーク制御装置１０１から基地局装置１０２へ設定される共通CHのパラメータのうち、S-CCPCHおよびFrame Numberの復号に必要なパラメータを抽出する。
【００３２】
トランスポートチャネル復号部１０４３では、無線ネットワーク制御装置１０１から基地局装置１０２へ送信されるデータの中から、FACHとPCHを復号する。FACH、PCH DATA Frameには物理チャネルS-CCPCHが無線上に送信されるCFN値が設定されているので、その値を抽出する。CFN値と各トランスポートチャネルのDATAを関連付けてデータ比較部１０４４へ渡す。
【００３３】
物理チャネル復号部１０４２では、設定パラメータ抽出部で抽出したパラメータを使って、まずFrame Numberを復号する。Frame Numberの復号にはCPICHとSCHを使用する。また、抽出パラメータによりS-CCPCHを復号する。Frame Number値とS-CCPCHを関連付けてデータ比較部１０４４へ渡す。
【００３４】
データ比較部１０４４では、トランスポートチャネル復号部１０４３から受信したCFN値とFACH、PCHのDATAと、物理チャネル復号部１０４２から受信したFN値とS-CCPCHのDATAをCFN値とFN値を基準にして比較する。比較したDATAが同じであれば特に何もせず、異なる場合およびトランスポートチャネルに対応した該当物理チャネルが存在しない場合に、ERROR Messageを表示する。また、CFN値とFACH、PCH DATAおよびFN値とS-CCPCH DATAをログファイルに保存する。
【００３５】
図２は下り信号不可検出回路１０４の動作を示すフローチャートであり、本実施例の動作について図２を参照して説明する。
【００３６】
無線ネットワーク制御装置１０１と基地局装置１０２との間を流れるNBAP信号を設定パラメータ抽出部１０４１でモニタする。設定パラメータ抽出部１０４１は各Cell及び共通CHの設定パラメータが送信されるとそれを復号し、必要なパラメータを抽出する（ステップＳ２０１）。抽出したパラメータを物理チャネル復号部へ送信する。
【００３７】
物理チャネル復号部１０４２では、抽出されたパラメータのうちCellに関連するパラメータを用いて、P-CPICHおよびSCHをSearchする（ステップＳ２０２）。Searchできない場合は繰り返しSearchを実施する。Searchが完了した場合、P-CCPCHをSearchして無線Frame NumberをDecodeする（ステップＳ２０３）。無線Frame Numberは0〜4096の範囲で10ms毎にカウントアップする。物理チャネル復号部１０４２では無線Frame Numberを基準にして動作する。
【００３８】
物理チャネル復号部１０４２では、さらに設定パラメータ抽出部１０４１で抽出されたパラメータのうち、S-CCPCHに関連するパラメータを用いてS-CCPCH (PCHおよびFACH)をSearchする（ステップＳ２０４）。Searchが完了した場合、S-CCPCHを復号する。その際、無線Frame Numberも同時に復号し、無線Frame Numberを基準にしてS-CCPCHを復号する（ステップＳ２０５）。
【００３９】
物理チャネル復号部１０４２で復号された無線Frame NumberとS-CCPCHはデータ比較部１０４４へ送信される。データ比較部１０４４では無線Frame Number毎にS-CCPCHを整理して保存する。トランスポートチャネル復号部１０４３からのDATAを受信したときに、そのDATAを参照する。
【００４０】
トランスポートチャネル復号部１０４３では、無線ネットワーク制御装置３０１と基地局装置３０２間のIub Interface上を流れるトランスポートチャネルをモニタする。トランスポートチャネルのうち、PCHおよびFACHをモニタし（ステップＳ２０６）、無線ネットワーク制御装置３０１からそれらのDATAが送信された場合に復号を行う。FACH、PCH DATA Frameには物理チャネルS-CCPCHが無線上に送信されるCFN値が設定されているので、その値も抽出する（ステップＳ２０７）。CFN値と各トランスポートチャネルのDATAを関連付けてデータ比較部へ送信する。
【００４１】
データ比較部１０４４では、トランスポートチャネル復号部１０４３で復号されたCFN値と各トランスポートチャネルを受信すると、それをトリガにして物理チャネル復号部から送信されたDATAを参照する。ここでCFN値は0〜256の範囲で10ms毎にカウントアップする。CFN値と無線Frame Numberは同期が取れているため、CFN=0とFrame Number=0は一致している。しかし、取りうる値の範囲が異なるため、データ比較部では無線Frame NumberをCFNの最大値(256)で割り算したときの余りMOD(FN)を使用する。MOD(FN)とCFNを比較し、一致したときのトランスポートチャネルPCH/FACH DATAと物理チャネルS-CCPCH DATAを比較する（ステップＳ２０８）。
【００４２】
比較したトランスポートチャネルPCH/FACH DATAと物理チャネルS-CCPCH DATAが一致した場合は、特に何もしない。しかし、一致しない場合、もしくは、該当物理チャネルS-CCPCH DATAが存在しなかった場合は、ERROR信号を表示する（ALMを上げる）。ERROR信号には、ERRORが発生しているCFNもしくはMOD(FN)値を含めておく。データ比較部では、CFN値およびトランスポートチャネルDATA、MOD(FN)値および物理チャネルS-CCPCH DATAをログファイルに保存しておく。
【００４３】
次に、本発明の他の実施例について説明する。本実施例の基本的構成は図１に示したものと同様あるが、設定パラメータ抽出部１０４１に下り個別チャネルについての機能が追加されている。
【００４４】
共通チャネルPCHやFACHはCell毎に1つずつ割り当てられた信号であるが、個別物理チャネルは各移動体端末に割り当てられるため、複数存在する。従って、トランスポートチャネルと物理チャネルを移動体端末毎に関連付けるために他のパラメータが必要となる。
【００４５】
設定パラメータ抽出部１０４１では、無線ネットワーク制御装置１０１と基地局装置１０２との間を関連付けるID (Communication Context ID)と基地局装置１０２と移動体端末１０３との間を関連付けるCODE (Channelisation Code)を抽出し、IDはトランスポートチャネル復号部１０４３へ送信し、CODEは物理チャネル復号部１０４２へ送信する。
【００４６】
トランスポートチャネル復号部１０４３では、IDをパラメータとしてCFNとDCHを復号し、ID、CFN、トランスポートチャネルDCH DATAをデータ比較部１０４４へ送信する。物理チャネル復号部１０４２では、CODEをパラメータとしてFNとDCHを復号し、CODE、FN、物理チャネルDPCH DATAをデータ比較部１０４４へ送信する。
【００４７】
データ比較部１０４４では、FNから計算したMOD(FN)とCFNから比較すべきトランスポートチャネル DCH DATAと物理チャネルDPCH DATAを抽出して比較する。比較して一致しない場合や対象となる物理DPCH DATAが存在しない場合にはERROR信号を送信する。ログファイルにはID、CFN、DCH DATA、CODE、MOD(FN)、DPCH DATAを保存する。
【図面の簡単な説明】
【００４８】
【図１】本発明の一実施例の構成を示すブロック図である。
【図２】本発明の一実施例の動作を示すフローチャートである
【図３】従来例の構成を示す図である。
【符号の説明】
【００４９】
１０１    無線ネットワーク制御装置
１０２    基地局装置
１０３    移動体端末
１０４    下り送信不可検出回路
１０２１    変調部復号部
１０２２    送信部受信部
１０４１    設定パラメータ抽出部
１０４２    物理チャネル復号部
１０４３    トランスポートチャネル復号部
１０４４    データ比較部
【図１】
2007049236.tif 000003
【図２】
2007049236.tif 000004
【図３】
2007049236.tif 000005